(57)【要約】【課題】  扉開放時の使用者に対する飛散水のかかりを防止でき、しかも、使用者に苛立ちを生じさせることのないようにする。【解決手段】  第１に、扉２の開放途中、少なくとも一枚の扉１１の４５度角以上の開放時点で、その開放を停止させる扉開放停止手段を設けた。第２に、扉２の開放初期にその開放速度を遅くする扉開放速度抑制手段を設けた。第３に、扉ロック解除操作手段の操作を２段階操作とし、その１段階目の操作に要する操作力を小さくして該操作により洗浄機構の運転を停止させ、２段階目の操作に要する操作力を大きくして該操作により扉２のロックを解除するようにした。【選択図】  図１
2005131090.tif 000002
【特許請求の範囲】
【請求項１】
洗浄室を有すると共に、その洗浄室に対して食器を出し入れするための開口部を有し、且つその洗浄室に収容された食器を洗浄する洗浄機構を有する本体と、
この本体に、複数枚に分かれて少なくともその一枚が回動することにより前記開口部を開放するように設けられた扉と、
この扉に開放力を付与する開放力付与手段と、
この開放力付与手段の付与した開放力に抗して前記扉を閉鎖状態にロックする扉ロック手段と、
この扉ロック手段による前記扉のロックを解除する扉ロック解除操作手段とを具備するものにおいて、
前記扉の開放途中、少なくとも前記一枚の扉の４５度角以上の開放時点で、その開放を停止させる扉開放停止手段を設けたことを特徴とする食器洗浄機。
【請求項２】
洗浄室を有すると共に、その洗浄室に対して食器を出し入れするための開口部を有し、且つその洗浄室に収容された食器を洗浄する洗浄機構を有する本体と、
この本体に、複数枚に分かれて前記開口部を開放するように設けられた扉と、
この扉に開放力を付与する開放力付与手段と、
この開放力付与手段の付与した開放力に抗して前記扉を閉鎖状態にロックする扉ロック手段と、
この扉ロック手段による前記扉のロックを解除する扉ロック解除操作手段とを具備するものにおいて、
前記扉の開放初期にその開放速度を遅くする扉開放速度抑制手段を設けたことを特徴とする食器洗浄機。
【請求項３】
洗浄室を有すると共に、その洗浄室に対して食器を出し入れするための開口部を有し、且つその洗浄室に収容された食器を洗浄する洗浄機構を有する本体と、
この本体に、複数枚に分かれて前記開口部を開放するように設けられた扉と、
この扉に開放力を付与する開放力付与手段と、
この開放力付与手段の付与した開放力に抗して前記扉を閉鎖状態にロックする扉ロック手段と、
この扉ロック手段による前記扉のロックを解除する扉ロック解除操作手段とを具備するものにおいて、
前記扉ロック解除操作手段の操作を２段階操作とし、その１段階目の操作に要する操作力を小さくして該操作により前記洗浄機構の運転を停止させ、２段階目の操作に要する操作力を大きくして該操作により扉のロックを解除するようにしたことを特徴とする食器洗浄機。
【発明の詳細な説明】
【技術分野】
【０００１】
本発明は、扉の開放について改良を施した食器洗浄機に関する。
【背景技術】
【０００２】
従来より、食器洗浄機においては、本体に洗浄室が設けられると共に、その洗浄室に対して食器を出し入れするための開口部が設けられ、そして、その洗浄室に収容された食器を洗浄する洗浄機構が設けられている。又、この本体には、扉が複数枚に分かれて上記開口部を開放するように設けられており、更に、その扉に開放力を付与するスプリング等の開放力付与手段と、この開放力付与手段の付与した開放力に抗して扉を閉鎖状態にロックする扉ロック機構、並びにこの扉ロック機構による扉のロックを解除する押ボタンや操作レバー等の扉ロック解除操作手段が設けられている。
【０００３】
このもので、扉ロック解除操作手段を操作すると、扉ロック機構による扉のロックが解除されることに基づき、扉が開放力付与手段の付与した開放力によって勢いよく開放される。この扉の開放動作は扉が全開するまで連続であり、又、その開放速度は速い。更に、この場合、扉が開放されるのと同時に洗浄機構の運転が停止されるようになっている。
【０００４】
このため、扉が開放された時点では、洗浄機構の運転がほゞ停止しているものの、未だ少しの洗浄水が飛散する状況にあり、その飛散した洗浄水が扉の開放部分から出る。特に、この場合、扉は複数枚に分かれて開放されるため、扉の開放部分は本体開口部のほとんど中央を含む位置にあり、それゆえ、その扉の開放部分から出た飛散水が食器洗浄機の前に立って作業する使用者にかかりやすい。
これに対して、上記食器洗浄機の扉の開放動作に抵抗を与えてその開放速度を遅くするようにする考えもある。
【特許文献１】特開２００２−３１５７１２号公報
【発明の開示】
【発明が解決しようとする課題】
【０００５】
上述の、扉の開放動作に抵抗を与えてその開放速度を遅くする考えのものでは、扉が全開位置まで開放された時点では、洗浄機構の運転が完全に停止し、少しの洗浄水も飛散しない状況となっている。よって、扉が全開位置まで開放された時点では、洗浄水が扉の開放部分から出ることもなく、使用者にかかることもない。
しかしながら、扉の開放動作が全開位置まで遅いため、洗浄後の食器の取出しを急ぐ場合や洗浄途中の食器の追加収容を急ぐ場合などで扉の開放を急ぐ使用者にとっては、苛立ちが生じる。
【０００６】
本発明は上述の事情に鑑みてなされたものであり、従ってその目的は、扉開放時の使用者に対する飛散水のかかりを防止でき、しかも、使用者に苛立ちを生じさせることのない食器洗浄機を提供するにある。
【課題を解決するための手段】
【０００７】
上記目的を達成するために、本発明の食器洗浄機においては、洗浄室を有すると共に、その洗浄室に対して食器を出し入れするための開口部を有し、且つその洗浄室に収容された食器を洗浄する洗浄機構を有する本体と、この本体に、複数枚に分かれて前記開口部を開放するように設けられた扉と、この扉に開放力を付与する開放力付与手段と、この開放力付与手段の付与した開放力に抗して前記扉を閉鎖状態にロックする扉ロック手段と、この扉ロック手段による前記扉のロックを解除する扉ロック解除操作手段とを具備するものにおいて、
第１に、前記扉の開放途中、少なくとも一枚の扉の４５度角以上の開放時点で、その開放を停止させる扉開放停止手段を設けたことを特徴とする（請求項１の発明）。
【０００８】
本発明の食器洗浄機においては、第２に、前記扉の開放初期にその開放速度を遅くする扉開放速度抑制手段を設けたことを特徴とする（請求項２の発明）。
本発明の食器洗浄機においては、第３に、前記扉ロック解除操作手段の操作を２段階操作とし、その１段階目の操作に要する操作力を小さくして該操作により前記洗浄機構の運転を停止させ、２段階目の操作に要する操作力を大きくして該操作により扉のロックを解除するようにしたことを特徴とする（請求項３の発明）。
【発明の効果】
【０００９】
上記第１の手段（請求項１の発明）によれば、扉が開放途中に開放を停止されることで、この停止した扉により飛散水を遮断し、使用者への飛散水のかかりを防止することができる。しかも、この場合、扉は開放が停止されるまで開放速度を遅めずに開放されるから、使用者が苛立つこともないようにできる。更に、この場合、扉の開放停止時点は、少なくとも一枚の扉が４５度角以上開放した時点であり、それ以後の開扉操作が容易にできる。
【００１０】
第２の手段（請求項２の発明）によれば、扉が開放初期にその開放速度を遅くされることで、扉の開放初期から飛散水を扉で遮断し、使用者への飛散水のかかりを防止することができる。しかも、この場合、扉は開放の初期にのみ開放速度を遅くされるだけで、あとは開放速度を遅めずに開放されるから、使用者が苛立つこともないようにできる。
【００１１】
第３の手段（請求項３の発明）によれば、扉のロックを解除する前の段階で洗浄機構の運転が停止するから、扉が開放された時点では、洗浄水の飛散はなくなっており、かくして使用者への飛散水のかかりを防止することができる。又、この場合、扉は、開放速度を初期から全開位置まで遅めずに開放されるから、使用者が苛立つこともないようにできる。
【発明を実施するための最良の形態】
【００１２】
以下、本発明の第１実施例（第１の実施形態）につき、図１ないし図５を参照して説明する。
まず、図２には、食器洗浄機の本体１と、これの前面部に設けた扉２、及び操作パネル３を示している。本体１は、外箱４を有しており、それに内箱５を組み合わせて、該内箱５の内部を図３に示す洗浄室６としている。洗浄室６は前面部が開口しており、その開口部７から食器の出し入れをするようにしている。なお、洗浄室６内には図示しない食器かごを出し入れ可能に収容し、それに食器を配列するようにしている。
【００１３】
洗浄室６内には回転式の噴水アーム８や固定式の噴水パイプ９を配設しており、洗浄室６外（本体１内）には図示しない洗浄ポンプを配設していて、洗浄室６内に供給された水をその洗浄ポンプにより噴水アーム８及び噴水パイプ９から洗浄水として噴出させることにより、上記食器の洗浄を行うようにしている。従って、それら洗浄ポンプ、噴水アーム８及び噴水パイプ９は、洗浄室６内に収容された食器を洗浄する洗浄機構１０を構成するものである。
【００１４】
そのほか、図示はしないが、洗浄室６内には、洗浄水の加熱や食器の乾燥のための空気の加熱を行うヒータを配設しており、洗浄室６外（本体１内）には、洗浄室６内に空気を通すファンや、給水弁、水位スイッチ、排水ポンプ等をも配設している。
扉２は、詳細には、複数枚、特にこの場合、下扉１１と上扉１２の上下二枚に分けて構成している。そのうちの下扉１１は、下端部の左右両側を図４に示す支軸１３（左側の一方のみ図示）によって上下に回動可能に軸支している。
【００１５】
一方、上扉１２は、上部の左右両側に内向きの凸部１４を有し（図４に左側の一方のみ図示）、下部の左右両側から裏側へアーム１５を突設して（これも図４に左側の一方のみ図示）、このアーム１５の各先端部に内向きの凸部１６を設けている。これに対して、本体１の上部の左右両側、詳細には前記内箱５の最上部の左右両側とこれより下方の内箱５の上部の左右両側前部には、それぞれガイド溝１７，１８を形成しており（これらも図４に左側の一方のみ図示）、これらに上記凸部１４，１６をそれぞれ嵌入している。
【００１６】
ここで、下扉１１にも、下部の左右両側から裏側へアーム１９を突設している（これも図４に左側の一方のみ図示）。このアーム１９の先端部には、リンク機構の第１のリンク２０の一端部をピン２１によって回動可能且つ摺動可能に連結し、該第１のリンク２０の他端部を、ピン２２によって上記上扉１２のアーム１５の先端部（凸部１６部分）に回動可能に連結している。更に、第１のリンク２０の他端部寄りの中間部には、前記リンク機構の第２のリンク２３の一端部に形成した長孔２４の部分をピン２５によって回動可能且つ摺動可能に連結し、該第２のリンク２３の他端部を前記本体１の左右両側、詳細には前記内箱５の上部の左右両側後部に、ピン２６によって回動可能に枢着している。
【００１７】
そして、前記下扉１１のアーム１９の先端部とそれより上方の内箱５の側面部との間には第１の引張スプリング２７を張架し、第２のリンク２３の中間部とそれより上方の内箱５の側面部との間には第２の引張スプリング２８を張架しており、一方、第２のリンク２３の中間部とそれより下方の内箱５の側面部との間には第３の引張スプリング２９を張架している。
【００１８】
しかして、下扉１１の裏面の左右両側には係合爪３０を突設しており、それに対して、本体１には爪受け部３１を設けている。この爪受け部３１は、詳しくは図示しないが、下扉１１を閉鎖したときに、係合爪３０を係合させて下扉１１を閉鎖状態にロックする組成のものである。
下扉１１には又、前面部に押ボタン３２を設けている。この押ボタン３２は、下扉１１内に横架した図示しないシャフトを介して上記係合爪３０と連動するようにしており、従って、押ボタン３２を押込み操作すれば、図示しないシャフトを介して係合爪３０が作動することにより爪受け部３１から解放され、下扉１１のロックを解除するようになっている。
【００１９】
なお、前記外箱４の前縁部には、図３に示すように、上記係合爪３０が出入りする孔３３と、前記アーム１５，１９がそれぞれに通る溝３４，３５とを形成している。
図５は、前記ガイド溝１７の部分を拡大して表しており、このガイド溝１７の中間部には、ストッパ３６の先端部がかかるようにしている。このストッパ３６は、基端部をピン３７によって前記内箱５の側面部に固着しており、但し、図示の水平位置より上方には回動が可能で、水平位置まで下方に複数の第４の引張スプリング３８によって付勢している。なお、第４の引張スプリング３８は、ストッパ３６の中間部とそれより下方の内箱５の側面部との間に張架している。
【００２０】
次に、上記構成のものの作用を述べる。
まず、扉２が閉鎖状態にあるとき、下扉１１は、支軸１３を中心に本体１に接するまで後方（図４で左側）に回動している。これにより、アーム１９は下方へ回動し、先端部によって第１の引張スプリング２７を伸長させると共に、第１のリンク２０を引き下げている。このため、上扉１２は、凸部１６がガイド溝１８の下端部まで移動され、凸部１４がガイド溝１７の前端部まで移動されて、下扉１１と接する状態にある（下扉１１が本体１の開口部７の下半部を閉鎖し、上扉１２が本体１の開口部７の上半部を閉鎖している）。
【００２１】
又、このとき、第２のリンク２３は、第１のリンク２０のピン２５によって下方へ回動され、第２の引張スプリング２８を伸長させている。
すなわち、このときには、第１の引張スプリング２７と第２の引張スプリング２８とが伸長され、復元力を蓄えている。この第１の引張スプリング２７と第２の引張スプリング２８の復元力は、後述で明らかなように、下扉１１及び上扉１２の開放力であり、すなわち、このとき、第１の引張スプリング２７と第２の引張スプリング２８は下扉１１及び上扉１２（扉２）に開放力を付与する開放力付与手段として機能している。
【００２２】
又、このとき、係合爪３０は爪受け部３１に係合して下扉１１を閉鎖状態にロックしており、上扉１２は、これも後述で明らかなように、下扉１１の開放に伴って開放されるものであるから、下扉１１の閉鎖ロックに伴い、閉鎖状態にロックされている。すなわち、このとき、係合爪３０と爪受け部３１は、上記第１の引張スプリング２７と第２の引張スプリング２８（開放力付与手段）の付与した開放力に抗して扉２を閉鎖状態にロックする扉ロック手段として機能している。
【００２３】
さて、この状態から、押ボタン３２を押込み操作すれば、図示しないシャフトを介して係合爪３０が爪受け部３１から解放され、下扉１１のロックを解除する。従って、それに伴い、上扉１２もロックを解除され、すなわち、扉２のロックが解除されるものであり、
すなわち、このとき、押ボタン３２は、係合爪３０及び爪受け部３１（扉ロック手段）による上記扉２のロックを解除する扉ロック解除操作手段として機能する。
【００２４】
ロックが解除されれば、第１の引張スプリング２７の復元力によってアーム１９が上方へ回動されることにより、下扉１１は、支軸１３を中心に前方へ回動して開放される。又、第２の引張スプリング２８の復元力によって第２のリンク２３が引き上げられ、ピン２５を介して第１のリンク２０も引き上げられるので、凸部１６がガイド溝１８を上方に移動されると共に、凸部１４がガイド溝１７を後方に移動されることにより、上扉１２が上方へ、次いで後方へと移動されて開放される。
なお、本構成のものの場合、下扉１１及び上扉１２（扉２）が開放されたとき、洗浄機構１０が運転中であれば、それと同時に該洗浄機構１０の運転、特には洗浄ポンプの作動が停止されるようにしている。
【００２５】
しかして、扉２の開放途中には、ガイド溝１８を上方に移動した凸部１６がストッパ３６の先端部に当たる。当たった後は、凸部１６が第２の引張スプリング２８の復元力によって第４の引張スプリング３８を伸長させつつガイド溝１８を上方に移動し続け、第２の引張スプリング２８の復元力と第４の引張スプリング３８の復元力とが均衡した位置で、凸部１６の移動が停止する。この凸部１６が移動を停止したとき、上扉１２は途中の開放位置に停止されるものであり、それに伴い、第１のリンク２０で上扉１２と連繋した下扉１１も途中の開放位置に停止される。従って、このとき、ストッパ３６と第４の引張スプリング３８は、扉２をその開放途中に停止させる扉開放停止手段として機能する。
【００２６】
扉２の上記開放途中の停止位置は、下扉１１の４５度角以上の開放時点であり、特にこの場合、図１に実線で示すように、下扉１１の約７０度角の開放時点で停止するようにしている。
扉２を上記開放途中の停止位置から全開させるには、使用者が下扉１１のこのときの前部に手をかけて上から図１に二点鎖線で示す例えば水平位置まで押し下げれば良い。このようにすれば、下扉１１が全開すると共に、上扉１２も、凸部１６が第４の引張スプリング３８の復元力に抗してストッパ３６を押し上げつつガイド溝１８を上方に移動しきると共に、凸部１４もガイド溝１７を後方に移動しきるので、全開される。
【００２７】
なお、開放させた扉２を閉鎖させるには、下扉１１を引き上げて係合爪３０が爪受け部３１に係合されるまで押しやれば良い（上扉１２は、それに伴い、第１のリンク２０によってアーム１５が引き下げられることにより、閉鎖される）。
【００２８】
このように本構成のものでは、扉２の開放途中、下扉１１の４５度角以上の開放時点で、その開放を停止させるようにしている。これにより、洗浄機構１０が運転中であって、扉２の開放と共にその運転を停止されたときにも、洗浄室６からの飛散水を扉２にて遮断し、使用者への飛散水のかかりを防止することができる。特に、下扉１１の４５度角以上の開放停止時点では、洗浄機構１０はその運転をほゞ停止しており、洗浄室６からの飛散水があっても、それは僅かで、４５度角以上の開放停止位置でも（約７０度角であっても）、使用者への飛散水のかかりを防止するのに充分な効果が得られる。
【００２９】
しかも、この場合、扉２は開放が停止されるまで開放速度を遅めずに開放させ得るから、使用者が苛立つこともないようにできる。
更に、この場合、扉２の開放停止時点は、下扉１１が４５度角以上開放された時点であり、それ以後の開扉操作が、下扉１１を僅かな量、単に押し下げるだけで良いなど、全開位置まで一方的に単純操作をすれば良く、閉鎖位置からのように下扉１１を前方に引き気味にしつつ押し下げるというような複雑且つ多ストロークの操作を要することがないので、操作を容易にできる。
なお、この第１実施例における扉開放停止手段は、上述のガイド溝１８に設けるものに限られず、扉２の開放時に作動するいずれの部分に設けるものであっても良い。
【００３０】
以上に対して、図６ないし図１０は本発明の第２ないし第６実施例（第２ないし第６の実施形態）を示すもので、それぞれ、第１実施例と同一の部分には同一の符号を付して説明を省略し、異なる部分についてのみ述べる。
［第２実施例］
図６に示す第２実施例においては、第２のリンク２３の長孔２４の下辺部の前側に隆起部４１を一体の形成又は別体物の取着で設けている。
【００３１】
この構成で、扉２の開放時には、第１のリンク２０のピン２５が第２のリンク２３の長孔２４内を図示矢印Ａ方向に移動するその初期に、上記隆起部４１に接して越えるときに抵抗を受け、その移動速度が遅くされる。この第２のリンク２３の長孔２４内におけるピン２５の移動速度は下扉１１の開放速度であり、上扉１２の開放速度でもある。従って、この場合には、扉２の開放速度が、その開放初期における上記隆起部４１に対するピン２５の接触によって遅くされるものであり、すなわち、隆起部４１が扉２の開放初期にその開放速度を遅くする扉開放速度抑制手段、特には抵抗物として機能する。
【００３２】
このものによれば、扉２が開放初期にその開放速度を遅くされることで、扉２の開放初期から、飛散水を扉２で遮断し、使用者への飛散水のかかりを防止することができる。しかも、この場合、扉２は開放の初期にのみ開放速度を遅くされるだけで、隆起部４１をピン２５が越えた後は開放速度を遅めずに開放されるから、使用者が苛立つこともないようにできる。
【００３３】
なお、この場合も、扉開放速度抑制手段は、上述の第２のリンク２３の長孔２４に設けるものに限られず、扉２の開放時に作動するいずれの部分に設けるものであっても良い。
又、その扉開放速度抑制手段としては、扉２の開放時に作動するいずれかの部分の摩擦抵抗を大きくすることや、第１ないし第３の引張スプリング２７〜２９の張力を調整するものであっても良い。
【００３４】
［第３実施例］
図７に示す第３実施例においては、扉２の閉鎖状態で、上扉１２のアーム１５における凸部１６が、ガイド溝１８の下端部上面１８ａにある程度の距離を置いて臨んでいる。
【００３５】
この構成で、扉２の開放時には、まず、凸部１６がガイド溝１８の下端部上面１８ａに突き当たり、抵抗を受けてその移動速度が遅くされる。そして、その後に、凸部１６はガイド溝１８に沿って移動する。このガイド溝１８に沿う凸部１６の移動速度は、上扉１２の開放速度であり、下扉１１の開放速度でもある。従って、この場合には、扉２の開放速度が、その開放初期における上記ガイド溝１８の下端部上面１８ａに対する凸部１６の突き当たりによって遅くされるものであり、すなわち、ガイド溝１８の下端部上面１８ａが扉２の開放初期にその開放速度を遅くする扉開放速度抑制手段、特には、この場合も抵抗物として機能する。
【００３６】
このものによっても、扉２が開放初期にその開放速度を遅くされることで、扉２の開放初期から、飛散水を扉２で遮断し、使用者への飛散水のかかりを防止することができる。又、この場合にも、扉２は開放の初期にのみ開放速度を遅くされるだけで、あとは開放速度を遅めずに開放されるから、使用者が苛立つこともないようにできる。
なお、この場合も、扉開放速度抑制手段としては、扉２の開放初期におけるガイド溝１８に対する凸部１６の摺動摩擦抵抗を大きくするものであっても良い。
【００３７】
［第４実施例］
図８に示す第４実施例においては、上扉１２の下端部に設けたパッキン５１が後部に後向きの鉤部５１ａを有するものとし、下扉１１の上端部の後部に形成した前向きの鉤部５２をそれに噛合させている。
【００３８】
この構成で、扉２の開放時には、まず、下扉１１の鉤部５２が上扉１２のパッキン５１の鉤部５１ａを弾性変形させつつそれから解き外れ、このときに抵抗を受けて下扉１１の開放速度が遅くされ、上扉１２の開放速度も遅くされる。従って、この場合には、扉２の開放速度が、その開放初期における上記パッキン５１の鉤部５１ａに対する下扉１１の鉤部５２の解き外れに要する抵抗のために遅くされるものであり、すなわち、パッキン５１の鉤部５１ａが扉２の開放初期にその開放速度を遅くする扉開放速度抑制手段、特には、この場合も抵抗物として機能する。
【００３９】
このものによっても、扉２が開放初期にその開放速度を遅くされることで、扉２の開放初期から、飛散水を扉２で遮断し、使用者への飛散水のかかりを防止することができる。又、この場合にも、扉２は開放の初期にのみ開放速度を遅くされるだけで、あとは開放速度を遅めずに開放されるから、使用者が苛立つこともないようにできる。
なお、この場合も、扉開放速度抑制手段は、パッキン５１と下扉１１との上記以外の接触部分や、パッキン５１と本体１との接触部分等に設けるようにしても良い。
又、その扉開放速度抑制手段は、パッキン５１と下扉１１との摺接部分、又はパッキン５１と本体１との摺接部分の摩擦抵抗を大きくするものであっても良い。
【００４０】
［第５実施例］
図９に示す第５実施例においては、ガイド溝１８の下端部近傍に先端部がかかるようにして抵抗板６１を、内箱５にピン６２により固定して設けている。
【００４１】
この構成で、扉２の開放時には、上扉１２のアーム１５における凸部１６がガイド溝１８に沿って移動を開始した直後に抵抗板６１の先端部に接して越えるときに抵抗を受け、その移動速度が遅くされる。従って、この場合には、扉２の開放速度が、その開放初期における上記抵抗板６１に対する凸部１６の接触によって遅くされるものであり、すなわち、抵抗板６１が扉２の開放初期にその開放速度を遅くする扉開放速度抑制手段として機能する。
【００４２】
このものによっても、扉２が開放初期にその開放速度を遅くされることで、扉２の開放初期から、飛散水を扉２で遮断し、使用者への飛散水のかかりを防止することができる。しかも、この場合、扉２は開放の初期にのみ開放速度を遅くされるだけで、あとは開放速度を遅めずに開放されるから、使用者が苛立つこともないようにできる。
なお、この場合も、扉開放速度抑制手段は、上述のガイド溝１８の下端部近傍に設けるものに限られず、扉２の開放時に作動するどの部分に設けるものであっても良い。
【００４３】
［第６実施例］
図１０に示す第６実施例においては、押ボタン３２の内部に押圧子７１を圧縮スプリング７２により弾性支持して設け、その圧縮スプリング７２の弾発力を、本体１から押ボタン３２を外方に付勢した圧縮スプリング７３の弾発力より大きくしている。又、この場合、本体１には、押圧子７１と対向する位置に洗浄機構運転停止用ボタン７４を設け、押ボタン３２の周側端部３２ａと対向する位置に扉ロック解除ボタン７５を設けている。更に、この場合、常時における、押圧子７１と洗浄機構運転停止用ボタン７４との対向距離より、押ボタン３２の周側端部３２ａと扉ロック解除ボタン７５との対向距離を大きくしている。
【００４４】
この構成で、扉２を開放するに際し、押ボタン３２を圧縮スプリング７２の弾発力に抗して押込み操作すれば、最初に押圧子７１が洗浄機構運転停止用ボタン７４に接して圧縮スプリング７２を圧縮しつつそれを押す。従って、このときに洗浄機構１０の運転が停止される。
次いで、押ボタン３２を更に押込み操作する。このとき、押ボタン３２は圧縮スプリング７２を更に圧縮しつつその押込み操作をする必要があり、操作力が最初の押込みに要した操作力より大きく必要となる。その大きな操作力で押ボタン３２を更に押込み操作すれば、押ボタン３２の周側端部３２ａが扉ロック解除ボタン７５に接してそれを押す。従って、このときに扉２の閉鎖ロックが解除される。
【００４５】
このように、本第６実施例のものは、扉ロック解除操作手段である押ボタン３２の操作を２段階操作とし、その１段階目の操作に要する操作力を小さくして該操作により洗浄機構１０の運転を停止させ、２段階目の操作に要する操作力を大きくして該操作により扉２のロックを解除するようにしている。
これにより、扉２の開放時には、扉２のロックを解除する前の段階で洗浄機構１０の運転を停止させ得るから、扉２が開放された時点では、洗浄水の飛散はなくなっており、かくして使用者への飛散水のかかりを防止することができる。又、この場合、扉２は、開放速度を初期から全開位置まで遅めずに開放されるから、使用者が苛立つこともないようにできる。
【００４６】
なお、全実施例を通じて、扉２は上下に分かれて開放されるものに限られず、観音開き式のように左右に、もしくはそれ以外の方向に分かれて開放されるものであっても良い。
又、扉２は、複数枚に分かれて開放されるうちの少なくとも一枚が回動されることにより開放されるものであれば良いもので、全部など複数枚が回動されることにより開放されるものであっても良い。
【００４７】
更に、洗浄機構１０が運転を停止するときには、洗浄水の加熱や食器の乾燥のための空気の加熱を行うヒータも発熱を停止させるようにしても良い。
そのほか、本発明は上記し且つ図面に示した実施例にのみ限定されるものではなく、要旨を逸脱しない範囲内で適宜変更して実施し得る。
【図面の簡単な説明】
【００４８】
【図１】本発明の第１実施例を示す、扉開放途中状態の、外箱を取除いた全体の側面図
【図２】扉閉鎖状態の全体の斜視図
【図３】扉開放状態の全体の斜視図
【図４】扉閉鎖状態の、外箱を取除いた全体の側面図
【図５】主要部分の拡大側面図
【図６】本発明の第２実施例を示す主要部分の拡大側面図
【図７】本発明の第３実施例を示す主要部分の拡大側面図
【図８】本発明の第４実施例を示す主要部分の拡大側面図
【図９】本発明の第５実施例を示す主要部分の拡大側面図
【図１０】本発明の第６実施例を示す主要部分の拡大側面図
【符号の説明】
【００４９】
図面中、１は本体、２は扉、６は洗浄室、７は開口部、１０は洗浄機構、１１は下扉、１２は上扉、１６は凸部、１８はガイド溝、２０は第１のリンク、２３は第２のリンク、２４は長孔、２５はピン、２７は第１の引張スプリング（開放力付与手段）、２８は第２の引張スプリング（開放力付与手段）、３０は係合爪（扉ロック手段）、３１は爪受け部（扉ロック手段）、３２は押ボタン（扉ロック解除操作手段）、３６はストッパ（扉開放停止手段）、３８は第４の引張スプリング（扉開放停止手段）、４１は隆起部（扉開放速度抑制手段）、１８ａはガイド溝の下端部上面（扉開放速度抑制手段）、５１ａはパッキンの鉤部（扉開放速度抑制手段）、６１は抵抗板（扉開放速度抑制手段）、７１は押圧子、７２，７３は圧縮スプリング、７４は洗浄機構運転停止用ボタン、７５は扉ロック解除ボタンを示す。
【図１】
2005131090.tif 000003
【図２】
2005131090.tif 000004
【図３】
2005131090.tif 000005
【図４】
2005131090.tif 000006
【図５】
2005131090.tif 000007
【図６】
2005131090.tif 000008
【図７】
2005131090.tif 000009
【図８】
2005131090.tif 000010
【図９】
2005131090.tif 000011
【図１０】
2005131090.tif 000012